(57)【要約】【課題】ＬＴＯ規格に則した磁気テープ等の情報記録媒体に、該情報記録媒体を特定する特定データとしてバーコードデータ等の識別子が貼付されていない場合でも情報記録媒体の管理を実現する媒体格納装置及び媒体格納システムを提供する。【解決手段】媒体格納装置１は、情報記録媒体の識別子を読み取ることが不可能であり、かつ情報記録媒体が存在すると判定した場合（Ｓ１０４：ＹＥＳ）、情報記録媒体のメモリから各種データを読み取り（Ｓ１０５）、各種データに、特定データが含まれているか否かを判定し（Ｓ１０６）、特定データが含まれていると判定した場合（Ｓ１０６：ＹＥＳ）、読み取った特定データを出力し（Ｓ１０７）、特定データが含まれていないと判定した場合（Ｓ１０６：ＮＯ）、ステップＳ１０５にて読み取った情報に基づいて特定データを生成し（Ｓ１０８）、記録装置へ出力する（Ｓ１０７）。【選択図】図４
2007334958.tif 000002
【特許請求の範囲】
【請求項１】
識別子を示すことが可能な識別部及びデータを記憶するメモリを有する複数の情報記録媒体を格納する格納機構と、該格納機構に格納される情報記録媒体を挿抜する挿抜機構とを備え、該挿抜機構は、情報記録媒体の識別部に示されている識別子を読み取る手段を有する媒体格納装置において、
前記挿抜機構は、
メモリに記憶されているデータを読み取るメモリデータ読取手段と、
前記挿抜機構が、識別部に示される識別子及びメモリに記憶されているデータの一方を読み取った場合に、読み取った一方に基づく特定データを出力する手段と、
前記挿抜機構が、識別部に示される識別子及びメモリに記憶されているデータの両方を読み取った場合に、両方を照合する手段と、
照合結果に基づく出力を実行する手段と
を備えることを特徴とする媒体格納装置。
【請求項２】
識別子を示すことが可能な識別部及びデータを記憶するメモリを有する複数の情報記録媒体を格納する格納機構と、該格納機構に格納される情報記録媒体を挿抜する挿抜機構とを備え、該挿抜機構は、情報記録媒体の識別部に示されている識別子を読み取る手段を有する媒体格納装置において、
前記挿抜機構は、
識別部からの識別子の読み取りを試みる手段と、
識別子の読み取りが可能な場合に、識別部から識別子を読み取る手段と、
識別子を読み取りが不可能な場合に、メモリに記憶されているデータを読み取るメモリデータ読取手段と、
情報記録媒体を特定する特定データとして、前記挿抜機構が識別部から読み取った識別子に基づく特定データ又はメモリから読み取ったデータに基づく特定データを出力する手段と
を備えることを特徴とする媒体格納装置。
【請求項３】
前記メモリは、前記情報記録媒体の製造に関する製造データを記憶する手段を更に備え、
前記メモリデータ読取手段は、メモリに予め記憶されている製造データを読み取る様に構成してあり、
前記挿抜機構は、更に、
読み取った製造データに基づいて、特定データとすべきデータを生成する手段と、
生成したデータをメモリに記憶させる手段と
を備える
ことを特徴とする請求項１又は請求項２に記載の媒体格納装置。
【請求項４】
前記情報記録媒体は、筐体に収容された磁気テープにて情報を記録する様に構成してあり、
前記識別子は、筐体に設けられた識別部に貼付されるバーコードデータである
ことを特徴とする請求項１乃至請求項３のいずれかに記載の媒体格納装置。
【請求項５】
請求項１乃至請求項４のいずれかに記載の媒体格納装置と、
該媒体格納装置が備える格納機構に格納される情報記録媒体の格納位置を記録する記録装置と
を備え、
該記録装置は、
前記媒体格納装置から特定データの入力を受け付ける手段と、
受け付けた特定データを、情報記録媒体の格納位置に対応付けて記録する手段と
を備える
ことを特徴とする媒体格納システム。
【発明の詳細な説明】
【技術分野】
【０００１】
本発明は、情報を記録可能な複数の情報記録媒体を格納する格納機構と、該格納機構に格納される情報記録媒体を挿抜する挿抜機構とを備える媒体格納装置、及び該媒体格納装置を備える媒体格納システムに関し、特に情報記録媒体の格納位置の管理に用いられる媒体格納装置及び媒体格納システムに関する。
【背景技術】
【０００２】
コンピュータに記録されている情報のバックアップ用の記録媒体として多種多様な情報記録媒体が開発されている。特に可搬性、信頼性、記録容量等の点で優れる磁気テープを用いた情報記録媒体が、大規模なシステムになる程、多く採用されている。
【０００３】
高速大容量の磁気テープの規格としては、例えばアイビーエム(IBM) 社、ヒューレットパッカード(Hewlett-Packard) 社、及びシーゲイトテクノロジ(Seagate Technology)社が共同で策定したＬＴＯ(Linear Tape Open)規格が用いられる。ＬＴＯ規格は、大容量の記憶が可能で、高速なデータの読み書きを意図したテープ規格であり、大別して大容量の記憶を指向した「ＬＴＯ  Ｕｌｔｒｉｕｍ」と、高速読み書きを指向した「ＬＴＯ  Ａｃｃｅｌｉｓ」との２種類がある。
【０００４】
そしてＬＴＯ規格に則した磁気テープを筐体（カートリッジ）に収容した情報記録媒体を数多く格納する媒体格納装置及び媒体格納装置に接続される記録装置を用いた媒体格納システムが注目されている。媒体格納装置は、複数の情報記録媒体を格納する格納機構と、格納機構に格納された情報記録媒体を挿抜する挿抜機構とを備え、記録装置は、情報記録媒体の格納位置を記録するデータベースを備え、バックアップ用ソフトウェアを実行することによりデータベースを管理している。
【０００５】
媒体格納システムを用いて情報記録媒体を管理する管理者は、情報記録媒体を識別する識別情報を割り当て、割り当てた識別情報を識別子、例えばバーコードデータに変換して情報記録媒体の筐体の所定の位置に設けられた識別部にバーコードデータを貼付する。挿抜機構は、情報記録媒体の識別子を読み取る機能を有し、情報記録媒体から読み取った識別子に基づく識別情報をオペレータパネル等の表示手段に表示することが可能である。また挿抜機構は、ＳＣＳＩ(Small Computer System Interface) 等のインタフェース規格に基づく通信方法にて記録装置に各種データを転送することができる。記録装置は、バックアップ用ソフトウェアの処理により、受信した識別情報を、情報記録媒体を特定する特定データとして情報記録媒体の格納位置に対応付けて記録する。この様にして媒体格納システムでは、媒体格納装置及び記録装置が各情報記録媒体を同じ特定データに基づいて認識することができる。
【０００６】
また情報を管理する方法として、特許文献１には、映像記録装置が撮影した映像をコンピュータへ送信するシステムにおいて、映像記録装置の識別子及びコンピュータの識別子を用いて映像ファイルを管理するファイル管理方式が開示されている。
【特許文献１】特開平１０−２６９１２０号公報
【発明の開示】
【発明が解決しようとする課題】
【０００７】
しかしながら情報記録媒体にバーコードデータ等の識別子が貼付されていない場合、媒体格納装置の挿抜機構は、情報記録媒体の存在を認識することができても、情報記録媒体に割り当てられた識別情報を読み取ることができないという問題がある。
【０００８】
本発明は斯かる事情に鑑みてなされたものであり、情報記録媒体が予め備えている非接触型不揮発性メモリ等のメモリに記憶されている情報に基づく特定データを、情報記録媒体の識別情報に代替することにより、識別子が貼付されていない情報記録媒体に対しても、情報記録媒体を特定して格納位置を管理することが可能な媒体格納装置、及び該媒体格納装置を備える媒体格納システムの提供を目的とする。
【課題を解決するための手段】
【０００９】
第１発明に係る媒体格納装置は、識別子を示すことが可能な識別部及びデータを記憶するメモリを有する複数の情報記録媒体を格納する格納機構と、該格納機構に格納される情報記録媒体を挿抜する挿抜機構とを備え、該挿抜機構は、情報記録媒体の識別部に示されている識別子を読み取る手段を有する媒体格納装置において、前記挿抜機構は、メモリに記憶されているデータを読み取るメモリデータ読取手段と、前記挿抜機構が、識別部に示される識別子及びメモリに記憶されているデータの一方を読み取った場合に、読み取った一方に基づく特定データを出力する手段と、前記挿抜機構が、識別部に示される識別子及びメモリに記憶されているデータの両方を読み取った場合に、両方を照合する手段と、照合結果に基づく出力を実行する手段とを備えることを特徴とする。
【００１０】
本発明では、識別部に示された識別子だけでなく、メモリに記憶されているデータを用いて情報記録媒体を管理することが可能である。しかも識別子及びメモリに記憶されているデータの照合結果に応じて決定される出力、例えば特定データの改竄を検出し、その結果を出力することが可能である。
【００１１】
第２発明に係る媒体格納装置は、識別子を示すことが可能な識別部及びデータを記憶するメモリを有する複数の情報記録媒体を格納する格納機構と、該格納機構に格納される情報記録媒体を挿抜する挿抜機構とを備え、該挿抜機構は、情報記録媒体の識別部に示されている識別子を読み取る手段を有する媒体格納装置において、前記挿抜機構は、識別部からの識別子の読み取りを試みる手段と、識別子の読み取りが可能な場合に、識別部から識別子を読み取る手段と、識別子を読み取りが不可能な場合に、メモリに記憶されているデータを読み取るメモリデータ読取手段と、情報記録媒体を特定する特定データとして、前記挿抜機構が識別部から読み取った識別子に基づく特定データ又はメモリから読み取ったデータに基づく特定データを出力する手段とを備えることを特徴とする。
【００１２】
本発明では、識別部から識別データを読み取ることができない場合に、メモリに記憶されているデータを用いて代替することが可能である。
【００１３】
第３発明に係る媒体格納装置は、第１発明又は第２発明において、前記メモリは、前記情報記録媒体の製造に関する製造データを記憶する手段を更に備え、前記メモリデータ読取手段は、メモリに予め記憶されている製造データを読み取る様に構成してあり、前記挿抜機構は、更に、読み取った製造データに基づいて、特定データとすべきデータを生成する手段と、生成したデータをメモリに記憶させる手段とを備えることを特徴とする。
【００１４】
本発明では、製造データに基づいて自動的に特定データとすべきデータを生成することが可能である。
【００１５】
第４発明に係る媒体格納装置は、第１発明乃至第３発明のいずれかにおいて、前記情報記録媒体は、筐体に収容された磁気テープにて情報を記録する様に構成してあり、前記識別子は、筐体に設けられた識別部に貼付されるバーコードデータであることを特徴とする。
【００１６】
本発明では、例えばバーコードデータを貼付可能なＬＴＯ規格に基づく情報記録媒体に適用することが可能である。
【００１７】
第５発明に係る媒体格納システムは、第１発明乃至第４発明のいずれかに記載の媒体格納装置と、該媒体格納装置が備える格納機構に格納される情報記録媒体の格納位置を記録する記録装置とを備え、該記録装置は、前記媒体格納装置から特定データの入力を受け付ける手段と、受け付けた特定データを、情報記録媒体の格納位置に対応付けて記録する手段とを備えることを特徴とする。
【００１８】
本発明では、メモリに記憶されているデータを用いて情報記録媒体を管理することが可能であり、また記録装置側では、媒体格納装置と接続するインタフェースの変更等の特別な設計変更を行う必要がない。
【発明の効果】
【００１９】
本発明に係る媒体格納装置及び媒体格納システムは、複数の情報記録媒体を格納する格納機構と、該格納機構に格納された情報記録媒体を挿抜する挿抜機構とを備える媒体格納装置に用いる。媒体格納装置には、ＳＣＳＩ等のインタフェース規格に基づく接続線にて記録装置が接続されている。情報記録媒体には、バーコードデータの貼付等の方法により識別子を識別部に示すことが可能であり、また情報記録媒体の製造に関する製造データ等のデータを記憶するメモリを有している。挿抜機構は、識別部に示された識別子及びメモリに記憶されたデータを読み取る機能を有し、情報記録媒体を特定するデータとして、識別子に基づく特定データ又はメモリから読み取ったデータに基づく特定データを記録装置に出力する。記録装置では、入力された特定データを格納位置に対応付けて記録する。
【００２０】
この構成により、本発明では、情報記録媒体に識別子が示されていない場合でも、メモリに記憶されているデータに基づく特定データを用いることができるので、媒体格納装置及び記録媒体の双方で認識可能な特定データを用いて格納されている情報記録媒体を管理することが可能である等、優れた効果を奏する。しかも媒体格納装置から記録装置へ出力される特定データは、識別子に基づく特定データ及びメモリに記憶されているデータに基づく特定データのいずれであっても同じインタフェース規格に基づいて出力することになるので、記録装置側では特に設計変更をする必要が無く、設計コスト、開発コスト、製造コスト、運用コスト等の様々なコストの増加を防止することが可能である等、優れた効果を奏する。
【００２１】
さらに本発明に係る媒体格納装置及び媒体格納システムは、前記挿抜機構が識別部に示される識別子及びメモリに記憶されているデータの両方を読み取った場合に、両方のデータを照合し、照合結果に応じた出力、例えば合致する場合は、識別子に基づく特定データを出力し、合致しない場合は、改竄又は破損と見なし、異常発生を示す出力を行うことが可能である等、優れた効果を奏する。
【発明を実施するための最良の形態】
【００２２】
以下、本発明をその実施の形態を示す図面に基づいて詳述する。図１は、本発明の媒体格納システムの構成を示すブロック図である。図１中１は、媒体格納装置であり、媒体格納装置１には、ＳＣＳＩ(Small Computer System Interface) 等のインタフェース規格に基づく接続線にてパーソナルコンピュータ等のコンピュータを用いた記録装置２が接続されている。
【００２３】
媒体格納装置１は、装置全体を制御する制御機構１０と、ＬＴＯ(Linear Tape Open)等の規格に基づく磁気テープ等の複数の情報記録媒体３，３，…を夫々格納する格納セル１１０を有する格納機構１１と、格納機構１１に格納される情報記録媒体３を挿抜する挿抜機構１２と、情報記録媒体３に対する情報の記録及び読取を行う記録読取機構１３とを備えている。
【００２４】
ＬＴＯ規格に基づく情報記録媒体３は、筐体（カートリッジ）に収容された磁気テープ３０にて情報を記録する様に構成されている。情報記録媒体３には、管理者により情報記録媒体３を識別する識別情報が割り当てられており、割り当てられた識別情報は、バーコードデータ等の識別子として筐体の所定の位置に設けられた識別部３１に貼付される。また筐体には、非接触で情報の記録及び読取が可能な不揮発性メモリを用いたカートリッジメモリ３２が貼付されている。
【００２５】
制御機構１０は、ＣＰＵ等の制御手段１００と、制御手段１００により実行される各種プログラム及びデータ等の情報を記録するＲＯＭ等の記録手段１０１と、プログラムの実行時に一時的に発生するデータを記憶するＲＡＭ等の記憶手段１０２と、記録装置２と接続して通信を行うＳＣＳＩボード等の接続手段１０３と、各種情報を表示する液晶パネル等の表示手段１０４とを備えている。
【００２６】
挿抜機構１２は、情報記録媒体３の把持、挿抜及び移動を行うアクセッサ１２０と、アクセッサ１２０を駆動して格納セルに対する位置決めを行う駆動部１２１とを備え、アクセッサ１２０には、情報記録媒体３を把持する把持手段１２００、情報記録媒体３の筐体の識別部３１に貼付された識別子を読み取るバーコードリーダ等のバーコードデータ読取手段１２０１と、カートリッジメモリ３２に対するデータの読取及び記録を行うメモリデータ記録読取手段１２０２とが配設されている。
【００２７】
記録装置２は、制御手段２０と、ハードディスク等の記録手段２１と、記憶手段２２と、接続手段２３と、マウス及びキーボード等の入力手段２４と、モニタ及びプリンタ等の出力手段２５とを備えており、記録手段２１の記録領域の一部は、情報記録媒体３を格納する格納機構１１の中の格納位置と、情報記録媒体３を特定する特定データとを対応付けて記録するデータベース２１０として用いられている。
【００２８】
図２は、本発明の媒体格納装置１の構成を示す模式図である。媒体格納装置１が備える格納機構１１は、複数の情報記録媒体３，３，…を夫々格納する格納セル１１０と、外部から情報記録媒体３を出し入れする投入排出口１１１と、記録読取機構１３とを備えている。
【００２９】
媒体格納装置１が備える挿抜機構１２は、情報記録媒体３の把持、挿抜及び移動を行うアクセッサ１２０と、横移動レール及び縦移動レールによりアクセッサ１２０を駆動する駆動部１２１とを備えている。
【００３０】
挿抜機構１２の駆動部１２１がアクセッサ１２０を駆動することにより、アクセッサ１２０が移動し、格納機構１１の格納セル１１０に対する位置決めを行い、格納セル１１０の指定した格納位置に対する情報記録媒体３の挿入及び抜取を行う。駆動部１２１は、情報記録媒体３を把持したアクセッサ１２０を移動させることにより、格納セル１１０、投入排出口１１１、及び記録読取機構１３間における情報記録媒体３の搬送を行う。
【００３１】
図３は、本発明の媒体格納システムにて用いられる情報記録媒体３に貼付されたカートリッジメモリ３２の記録内容を概念的に示す説明図である。カートリッジメモリ３２には、情報記録媒体３の製造時に書き込まれる書換不可能なデータであり、情報記録媒体３の製造に関するメディア製造元情報と、書換可能な初期化情報、メディア情報、第１使用履歴情報及び第２使用履歴情報、並びに任意設定情報とが記憶されている。
【００３２】
メディア製造元情報としては、当該情報記録媒体３を製造したメーカ名、当該情報記録媒体の製造時に割り当てられるユニークなシリアル番号、カートリッジ種別、製造日等の製造に関する情報が記憶されており、これらの情報の記憶内容及び記憶形式は規格として予め設定されている。
【００３３】
初期化情報としては、初期化したドライブのメーカ名、初期化したドライブのシリアル番号、フォーマットタイプ等の初期化に関する書換可能な情報が記憶されており、これらの情報の記憶内容及び記憶形式は規格として予め設定されている。
【００３４】
メディア情報としては、テープアラート、スレッド回数、メディア状態等のメディアに関する書換可能な情報が記憶されており、これらの情報の記憶内容及び記憶形式は規格として予め設定されている。
【００３５】
第１使用履歴情報としては、ロードしたドライブのメーカ名、ロードしたドライブのシリアル番号、スレッド回数、記録情報量、読取情報量等の使用履歴に関する書換可能な情報が記憶されており、これらの情報の記憶内容及び記憶形式は規格として予め設定されている。
【００３６】
第２使用履歴情報は、実質的に第１使用履歴情報と同様であり、例えば初期化後、以前と異なる用途に情報記録媒体３を使用する場合に用いられる。
【００３７】
任意設定情報は、ユーザ側で設定することが可能な情報であり、本発明の媒体格納システムでは、情報記録媒体３を特定する特定データ、媒体格納装置１に格納された日時、媒体格納装置１から排出された日時等の書換可能な情報が記憶されている。
【００３８】
次に本発明の媒体格納システムの処理について説明する。図４は、本発明の媒体格納装置１の情報記録媒体特定処理を示すフローチャートである。本発明の媒体格納装置１は、格納機構１１の投入排出口１１１から情報記録媒体３が投入された場合、格納セル１１０に挿入されている情報記録媒体３を抜き出す場合等の情報記録媒体３を把持する場合に情報記録媒体特定処理を実行する。
【００３９】
媒体格納装置１は、制御機構１０の制御により、挿抜機構１２のアクセッサ１２０を特定すべき情報記録媒体３に近接させる。挿抜機構１２のアクセッサ１２０は、情報記録媒体３の識別部３１からの識別子の読み取りを試みる（Ｓ１０１）。ステップＳ１０１の試みにおいて、識別部３１にバーコードデータ等の識別子がバーコードラベルとして貼付されている場合、アクセッサ１２０は、識別子を読み取ることが可能であると判定する。
【００４０】
ステップＳ１０１において、識別子を読み取ることが可能と判定した場合（Ｓ１０１：ＹＥＳ）、媒体格納装置１が備える挿抜機構１２のアクセッサ１２０は、バーコードデータ読取手段１２０１により、識別部３１から識別子を読み取り（Ｓ１０２）、読み取った識別子を、情報記録媒体３を特定する特定データとして、制御機構１０の接続手段１０３から記録装置２へ出力する（Ｓ１０３）。また制御機構１０は、表示手段１０４に特定データを表示（出力）する。
【００４１】
ステップＳ１０１において、識別子を読み取ることが不可能と判定した場合（Ｓ１０１：ＮＯ）、媒体格納装置１が備える挿抜機構１２のアクセッサ１２０は、把持手段１２００による情報記録媒体３の把持を試みることにより、情報記録媒体３の有無を判定する（Ｓ１０４）。ステップＳ１０４では、情報記録媒体３を把持することができた場合に、情報記録媒体３は存在すると判定する。
【００４２】
ステップＳ１０４において、情報記録媒体３が存在すると判定した場合（Ｓ１０４：ＹＥＳ）、媒体格納装置１が備える挿抜機構１２のアクセッサ１２０は、メモリデータ記録読取手段１２０１により、情報記録媒体３に貼付されているカートリッジメモリ３２に記憶されているメディア製造元情報、任意設定情報等の各種データを読み取り（Ｓ１０５）、読み取った各種データに含まれる任意設定情報に、情報記録媒体３を特定する特定データが含まれているか否かを判定する（Ｓ１０６）。ステップＳ１０６では、情報記録媒体３のカートリッジメモリ３２に特定データが記憶されているか否かを判定することになる。
【００４３】
ステップＳ１０６において、特定データが含まれていると判定した場合（Ｓ１０６：ＹＥＳ）、媒体格納装置１が備える挿抜機構１２のアクセッサ１２０は、カートリッジメモリ３２から読み取った特定データを、情報記録媒体３を特定する特定データとして、制御機構１０の接続手段１０３から記録装置２へ出力する（Ｓ１０７）。また制御機構１０は、表示手段１０４に特定データを表示（出力）する。
【００４４】
ステップＳ１０６において、特定データが含まれていないと判定した場合（Ｓ１０６：ＮＯ）、媒体格納装置１が備える挿抜機構１２は、ステップＳ１０５にて読み取ったメディア製造元情報であるシリアル番号等の情報に基づいて、情報記録媒体３を特定する特定データを生成し（Ｓ１０８）、生成した特定データを、メモリデータ記録読取手段１２０１により、カートリッジメモリ３２の任意設定情報の記録領域に記憶させ（Ｓ１０９）、ステップＳ１０７へ進み、特定データを記録装置２へ出力する（Ｓ１０７）。また制御機構１０は、表示手段１０４に特定データを表示（出力）する。ステップＳ１０８では、予め設定されている計算方法に従いシリアル番号等のメディア製造元情報からユニークな特定データを生成する。
【００４５】
ステップＳ１０４において、情報記録媒体３が存在しないと判定した場合（Ｓ１０４：ＮＯ）、媒体格納装置１が備える挿抜機構１２のアクセッサ１２０は、指定された格納位置に情報記録媒体３が格納されていないことを通知する情報記録媒体無信号を記録装置２へ出力する（Ｓ１１０）。
【００４６】
このように本発明の媒体格納装置１は、情報記録媒体３を特定する特定データとして、バーコードデータ又はメディア製造元情報に基づき生成される情報を出力する。
【００４７】
図５は、本発明の記録装置２の特定データ記録処理を示すフローチャートである。記録装置２は、制御手段２０の制御により、媒体格納装置１から出力される特定データの入力を接続手段２３にて受け付け（Ｓ２０１）、受け付けた特定データを、情報記録媒体３を格納する格納位置に対応付けてデータベース２１０に記録する（Ｓ２０２）。なお特定データではなく、情報記録媒体無信号の入力を受け付けた場合、情報記録媒体３が存在しないことを示すデータを格納位置に対応付けてデータベース２１０に記録する。以降の様々な処理において、記録装置２は、特定データを用いて情報記録媒体３の管理を行う。
【００４８】
上述した形態では、識別子及びカートリッジメモリ３２に記憶されているデータのいずれか一方を読み取り、特定データとして用いる形態を示したが、両方を読み取ることも可能である。またその場合、両方のデータが同じになる様に特定データの生成に係る計算方法を予め設定しておくことで、特定データの改竄又は破損を検出する照合処理を行うことも可能である。
【００４９】
図６及び図７は、本発明の媒体格納装置１の特定データ読取及び照合処理を示すフローチャートである。媒体格納装置１は、制御機構１０の制御により、挿抜機構１２のアクセッサ１２０を特定すべき情報記録媒体３に近接させる。挿抜機構１２のアクセッサ１２０は、情報記録媒体３の識別部３１からの識別子の読み取りを試みる（Ｓ３０１）。
【００５０】
ステップＳ３０１において、識別子を読み取ることが不可能と判定した場合（Ｓ３０１：ＮＯ）、媒体格納装置１が備える挿抜機構１２のアクセッサ１２０は、把持手段１２００による情報記録媒体３の把持を試みることにより、情報記録媒体３の有無を判定する（Ｓ３０２）。
【００５１】
ステップＳ３０２において、情報記録媒体３が存在しないと判定した場合（Ｓ３０２：ＮＯ）、媒体格納装置１が備える挿抜機構１２のアクセッサ１２０は、指定された格納位置に情報記録媒体３が格納されていないことを通知する情報記録媒体無信号を記録装置２へ出力する（Ｓ３０３）。
【００５２】
ステップＳ３０２において、情報記録媒体３が存在すると判定した場合（Ｓ３０２：ＹＥＳ）、媒体格納装置１が備える挿抜機構１２のアクセッサ１２０は、メモリデータ記録読取手段１２０１により、情報記録媒体３に貼付されているカートリッジメモリ３２に記憶されている各種データを読み取り（Ｓ３０４）、読み取った各種データに含まれる任意設定情報に、情報記録媒体３を特定する特定データが含まれているか否かを判定する（Ｓ３０５）。
【００５３】
ステップＳ３０５において、特定データが含まれていないと判定した場合（Ｓ３０５：ＮＯ）、媒体格納装置１が備える挿抜機構１２は、ステップＳ３０４にて読み取ったメディア製造元情報に対する所定の計算方法に基づく変換等の予め設定されている規則に従って情報記録媒体３を特定する特定データを生成し（Ｓ３０６）、生成した特定データを、メモリデータ記録読取手段１２０１により、カートリッジメモリ３２の任意設定情報の記録領域に記憶させ（Ｓ３０７）、特定データを記録装置２へ出力する（Ｓ３０８）。また制御機構１０は、表示手段１０４に特定データを表示（出力）する。
【００５４】
ステップＳ３０５において、特定データが含まれていると判定した場合（Ｓ３０５：ＹＥＳ）、ステップＳ３０８へ進み、カートリッジメモリ３２から読み取った特定データを記録装置２へ出力する（Ｓ３０８）。
【００５５】
ステップＳ３０１において、識別子を読み取ることが可能と判定した場合（Ｓ３０１：ＹＥＳ）、媒体格納装置１が備える挿抜機構１２のアクセッサ１２０は、バーコードデータ読取手段１２０１により、識別部３１から識別子を読み取り（Ｓ３０９）、更にメモリデータ記録読取手段１２０１により、情報記録媒体３に貼付されているカートリッジメモリ３２に記憶されている各種データを読み取り（Ｓ３１０）、読み取った各種データに含まれる任意設定情報に、情報記録媒体３を特定する特定データが含まれているか否かを判定する（Ｓ３１１）。
【００５６】
ステップＳ３１１において、特定データが含まれていないと判定した場合（Ｓ３１１：ＮＯ）、媒体格納装置１が備える挿抜機構１２は、識別部３１から読み取った識別子を特定データとして記録装置２へ出力する（Ｓ３１２）。
【００５７】
ステップＳ３１１において、特定データが含まれていると判定した場合（Ｓ３１１：ＹＥＳ）、媒体格納装置１が備える挿抜機構１２のアクセッサ１２０は、カートリッジメモリ３２から読み取った特定データ及び識別部３１から読み取った識別子である特定データが合致するか否か照合する（Ｓ３１３）。
【００５８】
ステップＳ３１３において、照合の結果、両方の特定データが合致したと判定した場合（Ｓ３１３：ＹＥＳ）、媒体格納装置１が備える挿抜機構１２は、特定データを記録装置２へ出力する（Ｓ３１４）。また制御機構１０は、表示手段１０４に特定データを表示（出力）する。ステップＳ３１４では、識別子に基づく特定データを出力するが、両方の特定デーが合致しているので、どちらを出力しても同様の特定データが出力される。
【００５９】
ステップＳ３１３において、照合の結果、両方の特定データが合致しないと判定した場合（Ｓ３１３：ＮＯ）、媒体格納装置１が備える挿抜機構１２は、少なくとも一方の特定データに改竄、破損等の異常が発生していることを示す異常メッセージ等の異常信号を記録装置２へ出力し（Ｓ３１５）、処理を終了する。また制御機構１０は、表示手段１０４に異常信号に係るメッセージを表示（出力）する。
【００６０】
なおステップＳ３１３において、両方の特定データが合致しないと判定した場合に、異常信号を出力するのではなく、両方の特定データを出力する様にしても良く、また予め設定されている一方の特定データ、例えば識別子に基づく特定データを出力する様にしても良い。
【００６１】
この様に本発明の媒体格納装置１は、識別部３１に示される識別子及びカートリッジメモリ３２に記憶されているデータのいずれか一方を読み取った場合に、読み取った一方に基づく特定データを出力する。なおいずれか一方のみを読み取った場合に、読み取った一方と同じ特定データを示す様に他方を設定することで、次回からの処理により照合処理を行うことができる様になる。また識別部３１に示される識別子及びメモリに記憶されているデータの両方を読み取った場合に、両方の特定データを照合し、照合の結果に基づく出力を実行する。
【００６２】
前記実施の形態にて開示した形態は、本願を実現する無数にある形態の中の一部を示すに過ぎず、本発明は上述した形態以外に様々な形態に展開することが可能である。例えばメディア製造元情報であるシリアル番号に基づいて特定データを生成するのではなく、シリアル番号そのものを特定データとして用いる様にしても良い等、様々な形態に展開することが可能である。
【００６３】
また前記実施の形態では、バーコードデータを識別子とし、特定データとして出力する形態を示したが、本発明はこれに限らず、バーコードデータを所定の方法で変換して特定データを生成する様にしても良く、更にはバーコードデータ以外の識別子、例えばＲＦＩＤタグに記録されたＩＤを識別子とする等、様々な形態に展開することが可能である。
【図面の簡単な説明】
【００６４】
【図１】本発明の媒体格納システムの構成を示すブロック図である。
【図２】本発明の媒体格納装置の構成を示す模式図である。
【図３】本発明の媒体格納システムにて用いられる情報記録媒体に貼付されたカートリッジメモリの記録内容を概念的に示す説明図である。
【図４】本発明の媒体格納装置の情報記録媒体特定処理を示すフローチャートである。
【図５】本発明の記録装置の特定データ記録処理を示すフローチャートである。
【図６】本発明の媒体格納装置の特定データ読取及び照合処理を示すフローチャートである。
【図７】本発明の媒体格納装置の特定データ読取及び照合処理を示すフローチャートである。
【符号の説明】
【００６５】
１  媒体格納装置
１０  制御機構
１００  制御手段
１０３  接続手段
１０４  表示手段
１１  格納機構
１２  挿抜機構
１２０  アクセッサ
１２００  把持手段
１２０１  バーコードデータ読取手段
１２０２  メモリデータ記録読取手段
１２１  駆動部
１３  記録読取機構
２  記録装置
２０  制御手段
２１  記録手段
２１０  データベース
３  情報記録媒体
３０  磁気テープ
３１  識別部
３２  カートリッジメモリ
【図１】
2007334958.tif 000003
【図２】
2007334958.tif 000004
【図３】
2007334958.tif 000005
【図４】
2007334958.tif 000006
【図５】
2007334958.tif 000007
【図６】
2007334958.tif 000008
【図７】
2007334958.tif 000009